(57)【要約】  （１）カバー層と、プレマスク材料のシートの第１の主面を画定する露出面を有するカバー層の一表面の取り外し可能な接着剤層と、を含むプレマスク材料のシートと、（２）対向する第１および第２の主面を有するある一定長さの装飾フィルムと、第２の主面に沿って接着剤層と、を含む供給長さの装飾フィルムテープと、（３）カバー層の取り外し可能な接着剤および装飾フィルムの接着剤により剥離可能に接合されるように構成された、第１の主面を有する剥離ライナシートと、（４）テープアプリケータと、を提供することを含む基材を装飾するように適合したラミネートの製造方法。シートの１枚は、適用面で第１の主面により支持され、テープアプリケータを用いて、供給長さの装飾フィルムテープから異なる所定の形状および長さの表示長さの装飾フィルムテープを形成し、これらの表示長さの装飾フィルムテープを所定のパターンでシートの１枚の第１の主面に適用する。その後、他のシートの第１の主面を、１枚のシートの第１の主面とは逆の表示長さの装飾フィルムテープの表面上に配置する。この方法は、表示長さの装飾フィルムテープの接着剤層を剥離ライナに接合し、接合された表示長さの装飾フィルムテープにおいてある長さの装飾フィルムの第１の主面を覆うようにプレマスク材料層に含められた取り外し可能な接着剤層を剥離ライナおよび表示長さの装飾フィルムテープ周囲の剥離ライナに接合する。
2005511359.tif 000002
【特許請求の範囲】
【請求項１】
カバー層と前記カバー層の一表面に強く接合した取り外し可能な接着剤層とを含むプレマスク材料層と、
対向する第１および第２の主面を有するある一定長さの装飾フィルムと、前記第２の主面に沿った接着剤層とを含む供給長さの装飾フィルムテープと、
対向する第１および第２の主面を有し、前記第１の主面は前記カバー層の前記取り外し可能な接着剤および前記装飾フィルムの前記接着剤により剥離可能に接合されるように構成された剥離ライナと、
前記供給長さのテープから異なる長さおよび端部形状の表示長さのテープを形成する手段と、前記表示長さのテープを所定の端部位置に沿って延在している前記表示長さのテープの長手方向端部を備えた適用面に沿った表面の異なる正確な位置に適用する手段と、を含むテープアプリケータと、を提供する工程と、
前記第１の主面を備えた前記剥離ライナを前記適用面に支持する工程と、
前記テープアプリケータを用いて、前記供給長さの装飾フィルムテープから異なる所定の形状および長さの表示長さの装飾フィルムテープを形成し、これらの表示長さの装飾フィルムテープを、所定の端部配置に沿って延在している前記表示長さのテープの長手方向端部を備えた所定のパターンで前記剥離ライナの前記第１の表面に適用する工程と、
前記剥離ライナおよび前記表示長さの装飾フィルムテープ周囲の前記剥離ライナに接合した前記表示長さの装飾フィルムテープの前記第１の主面を覆う前記プレマスク材料層に含まれる前記取り外し可能な接着剤層を接合する工程と、
を含む、基材を装飾するのに用いるのに適合したラミネートの製造方法。
【請求項２】
提供された前記テープアプリケータが、前記表示長さのテープの前記長さを超えた長さを有する不連続な長さのテープを形成し、前記不連続な長さのテープを、前記表示長さのテープについて前記所定の端部位置の全長に沿って延在している前記テープの前記長手方向端部を備えた前記適用面に沿って表面に接合する手段と、前記適用面に沿って前記表面に接合した前記不連続な長さのテープを交差方向に切断して、前記表示長さのテープの端部を形成して、前記適用された不連続な長さのテープから前記表示長さのテープを形成する別個の手段と、を含み、
前記テープアプリケータを用いる工程が、
不連続な長さの装飾フィルムテープを、前記表示長さのテープについて前記所定の端部位置の全長に沿って延在している前記装飾フィルムテープの長手方向端部を備え、前記不連続な長さの装飾フィルムテープの特定の部分を互いに重ね合わせた所定のパターンで前記剥離ライナの前記第１の表面に形成し適用する工程と、
前記テープアプリケータを用いて、前記剥離ライナに接合した前記不連続な長さの装飾フィルムテープを交差方向に切断して、前記適用された長さの装飾フィルムテープの前記重なった部分で位置合わせされ近接配置された端部を含む前記表示長さの装飾フィルムテープに端部を形成することによって、前記表示長さの装飾フィルムテープを前記適用された不連続な長さの装飾フィルムテープから形成する工程と、
前記不連続な長さの装飾フィルムテープを切断することにより得られた前記不連続な長さの装飾フィルムテープの前記剥離ライナスクラップ部分から取り外して、前記表示長さの装飾フィルムテープを形成する工程と、
を含む、請求項１に記載のラミネートの製造方法。
【請求項３】
前記テープアプリケータを用いて異なる所定の形状および長さの前記表示長さの前記装飾フィルムテープを形成し、これらの表示長さの装飾フィルムテープを前記剥離ライナの前記第１の表面に所定のパターンで接合する工程において、前記パターンが位置合わせされ近接配置された端部を含み、前記近接配置された端部間の空間が前記適用された表示長さの装飾フィルムテープの少なくともある部分について０．００５〜０．１２インチすなわち０．０１３〜０．３ｃｍである、請求項１に記載のラミネートの製造方法。
【請求項４】
前記剥離ライナを前記表示長さの装飾フィルムテープに含まれる前記接着剤層および前記プレマスク材料層に含まれる前記取り外し可能な接着剤から取り外す工程と、
前記表示長さの装飾フィルムテープおよび前記基材に沿って所望の位置で前記表示長さの装飾フィルムテープを備えた基材上の前記プレマスク材料層に含まれる前記接着剤層を配置する工程と、
前記表示長さの装飾フィルムテープおよび前記基材に含まれる前記接着剤層間からの空気を搾り出す工程と、
前記プレマスク材料層を取り外して前記基材に接合した前記表示長さの装飾フィルムテープを露出する工程と、
をさらに含む、前記ラミネートを用いて基材を装飾する工程をさらに含む、請求項１に記載の方法。
【請求項５】
前記カバー層および前記カバー層上の接着剤層によって前記プレマスク材料層表面間に水蒸気が通過でき、前記方法が、前記基材上の前記表示長さの装飾フィルムテープおよび前記プレマスク材料層に含まれる前記接着剤層を配置する工程の前に、湿潤液を用いて前記表示長さの装飾フィルムテープおよび前記プレマスク材料層に含まれる前記接着剤層および前記基材を濡らす工程と、前記プレマスク材料層を取り外す工程の前に、前記湿潤液を乾燥させる工程と、をさらに含み、前記空気を搾り出す工程がまた、前記表示長さの装飾フィルムテープと前記基材に含まれる前記接着剤層間から湿潤液を搾り出す工程も含む、請求項４に記載の方法。
【請求項６】
剥離ライナが前記供給長さの装飾フィルムテープに含まれる前記接着剤層を覆うように提供され、前記方法が、前記不連続な長さの装飾フィルムテープを前記剥離ライナに適用および接合する工程の前に、前記剥離ライナを取り外す工程をさらに含む、請求項１に記載の方法。
【請求項７】
前記テープアプリケータが、前記適用面の前記第１の主面により前記剥離ライナを支持するように適合した平面支持表面を含み、
前記テープヘッドがリーディングエンドを有する枠を含み、
前記テープアプリケータが、前記枠リーディングの前記リーディングエンドによる直線の動きを含む複数の直線の動きを有する所定のパターンで前記適用面を覆うように前記枠を移動するように適合したコンピュータ操作されるアセンブリを含み、
前記テープヘッドがさらに、適用表面を有する適用部材と、前記適用面に沿った前記適用表面の適用位置と前記適用面から離れた前記適用表面の剥離位置との間の動きのために前記枠に前記適用部材を装着する手段と、前記枠にあって、前記供給長さの装飾フィルムテープを支持し、前記枠リーディングのリーディングエンドによる前記直線の動きの間、前記枠の動く方向に平行な経路に沿って前記装飾フィルムテープの端部と共に前記適用表面上に延在している前記経路に沿って前記供給長さの装飾フィルムテープを案内する手段と、前記経路に沿って前記枠にあって、前記経路に沿って移動する前記供給長さの装飾フィルムテープを切断する切断手段と、前記枠にあって、前記経路に沿って前記供給長さの装飾フィルムテープを進めて、前記適用表面に対して前記切断手段により形成された前記供給長さの装飾フィルムテープの新たに切断された端部を移動する手段と、鋭く細長い切断端部を有するカッターと、前記適用面に沿った前記切断端部を備えた適用位置と前記適用面から離れた前記切断端を備えた剥離位置との間での移動のために前記枠に前記カッターを装着する手段と、を含み、
前記支持工程において、前記剥離ライナが前記支持表面に支持されて、前記適用面における前記剥離ライナの前記第１の主面を配置し、
前記テープアプリケータを用いて適用および接合する工程が、各不連続な長さについて、前記適用部材を剥離位置に位置付ける工程と、進めるための手段を起動して、前記適用部材の前記適用表面上に前記供給長さの装飾フィルムテープの端部を配置する工程と、次いで前記適用部材を適用位置に位置付け、前記適用面を覆うテープヘッドの前記枠を、前記枠リーディングの前記リーディングエンドによる直線の動きで移動して、前記経路に沿って前記装飾フィルムテープを引っ張って、直線の長さの前記装飾フィルムテープを前記剥離ライナに適用する工程と、前記切断手段を操作して、前記適用された不連続な長さの装飾フィルムテープについて端部を、そして前記供給長さの装飾フィルムテープについて新たなリーディングエンドを形成する工程と、を含み、
前記剥離ライナに適用された前記不連続な長さの装飾フィルムテープを切断して前記表示長さの装飾フィルムテープを形成する工程が、前記切断位置で前記カッターにより所定の経路に沿って前記適用面を覆うように前記テープヘッドの前記枠を移動する工程を含む、請求項２に記載のラミネート製造方法。
【請求項８】
カバー層と前記カバー層の一表面に接合した取り外し可能な接着剤層とを含むプレマスク材料層と、
対向する主面を有するある一定長さの装飾フィルムと、前記主面の１つに沿った接着剤層と、を含む供給長さの装飾フィルムテープと、
対向する第１および第２の主面を有し、前記第１の主面は前記カバー層の前記接着剤および前記装飾フィルムの前記接着剤により剥離可能に接合されるように構成された剥離ライナと、
テープアプリケータであって、
前記適用面において前記第１の主面により前記剥離ライナを支持するように適合した平面支持表面と、
リーディングエンドを有する枠を含むテープヘッドと、
前記枠リーディングの前記リーディングエンドによる直線の動きを含む複数の直線の動きを有する所定のパターンで前記支持表面を覆うように前記枠を移動するように適合したコンピュータ操作されるアセンブリと、を含むテープアプリケータと、を提供する工程であって、
前記テープヘッドがさらに、
適用表面を有する適用部材と、
前記適用面に沿った前記適用表面の適用位置と前記適用面から離れた前記適用表面の剥離位置との間の動きのために前記枠に前記適用部材を装着する手段と、
前記枠にあって、前記供給長さの装飾フィルムテープを支持し、前記枠リーディングのリーディングエンドによる前記直線の動きの間、前記枠の動く方向に平行な経路に沿って前記装飾フィルムテープの端部と共に前記適用表面上に延在している前記経路に沿って前記供給長さの装飾フィルムテープを案内する手段と、
前記経路に沿って前記枠にあって、前記経路に沿って移動する前記供給長さの装飾フィルムテープを切断する切断手段と、
前記枠にあって、前記経路に沿って前記供給長さの装飾フィルムテープを進めて、前記適用表面に対して前記切断手段により形成された前記供給長さの装飾フィルムテープの新たに切断された端部を移動する手段と、
鋭く細長い切断端部を有するカッターと、
前記適用面に沿った前記切断端部を備えた適用位置と前記適用面から離れた前記切断端部を備えた剥離位置との間での移動のために前記枠に前記カッターを装着する手段と、を含む工程と、
前記剥離ライナを前記支持表面に支持して、前記適用面において前記剥離ライナの前記第１の主面を配置する工程と、
各不連続な長さについて、前記適用部材を剥離位置に位置付ける工程と、進めるための手段を起動して、前記適用部材の前記適用表面に沿って前記供給長さの装飾フィルムテープの端部を配置する工程と、次いで前記適用部材を適用位置に位置付け、前記適用面を覆うテープヘッドの前記枠を、前記枠リーディングの前記リーディングエンドによる直線の動きで移動して、前記経路に沿って前記装飾フィルムテープを引っ張って、直線の長さの前記装飾フィルムを前記剥離ライナに適用する工程と、前記切断手段を操作して、前記適用された不連続な長さの装飾フィルムテープに端部を形成する工程と、により、前記テープアプリケータを用いて、互いに重なる不連続な長さの装飾フィルムテープのある部分を備えた所定のパターンで前記剥離ライナの前記第１の表面に前記不連続な長さの装飾フィルムテープを適用および接合する工程と、
前記テープアプリケータを用いて前記剥離ライナに適用された前記不連続な長さの装飾フィルムテープを切断して、前記テープヘッドの枠を、前記切断位置において前記カッターにより所定の経路に沿って前記適用面を覆うように移動することにより、前記適用された長さの装飾フィルムテープの前記重なった部分で位置合わせされ近接配置された端部を含む前記剥離ライナに沿って所定の位置で前記適用された不連続な長さの装飾フィルムテープに新たな端部を形成することによって、前記不連続な長さの装飾フィルムテープから表示長さの装飾フィルムテープを形成する工程と、
前記装飾フィルムテープを切断することにより得られる前記剥離ライナの前記適用された不連続な長さの装飾フィルムから切断された前記剥離ライナスクラップ部分を取り外して、新規な端部を形成することによって、前記表示長さの装飾フィルムテープとする工程と、
前記所定のパターンで前記剥離ライナおよび前記表示長さの装飾フィルムテープ周囲の前記剥離ライナに接合した前記表示長さの装飾フィルムテープの前記外側主面を覆うように前記プレマスク材料層に含められた前記取り外し可能な接着剤層を接合する工程と、
を含む、基材に装飾を与えるように適合したラミネートの製造方法。
【請求項９】
カバー層と前記カバー層の一表面に接合した取り外し可能な接着剤層とを含み、前記カバー層の逆にある前記取り外し可能な接着剤層の表面がプレマスク材料のシートの第１の主面を画定しているプレマスク材料のシートと、
対向する第１および第２の主面を有するある一定長さの装飾フィルムと、前記第２の主面に沿った接着剤層と、を含む供給長さの装飾フィルムテープと、
対向する第１および第２の主面を有し、前記第１の主面は前記カバー層の前記取り外し可能な接着剤および前記装飾フィルムの前記接着剤により剥離可能に接合されるように構成された剥離ライナシートと、
前記供給長さのテープから異なる長さおよび端部形状の表示長さのテープを形成し、前記表示長さのテープを所定の端部位置に沿って延在している前記表示長さのテープの長手方向端部を備えた適用面に沿った表面の異なる正確な位置に適用する手段を含むテープアプリケータと、
を提供する工程と、
前記適用面において前記第１の主面を備えた前記シートの１枚を支持する工程と、
前記テープアプリケータを用いて、前記供給長さの装飾フィルムテープから異なる所定の形状および長さの表示長さの装飾フィルムテープを形成し、これらの表示長さの装飾フィルムテープを、所定の端部配置に沿って延在している前記表示長さのテープの長手方向端部を備えた所定のパターンで前記シートの１枚の前記第１の表面に適用する工程と、
前記シートの１枚の前記第１の主面に対向する前記表示長さの装飾フィルムテープの表面を覆うように他の前記シートの前記第１の主面を位置付ける工程と、
を含み、
前記工程が、前記表示長さの装飾フィルムテープの前記接着剤層を前記剥離ライナに接合し、接合された前記表示長さの装飾フィルムテープにおいて前記ある長さの装飾フィルムの前記第１の主面を覆うように前記プレマスク材料層に含められた前記取り外し可能な接着剤層を前記剥離ライナおよび前記表示長さの装飾フィルムテープ周囲の前記剥離ライナに接合する、基材を装飾するのに用いるのに適合したラミネートの製造方法。
【請求項１０】
提供された前記テープアプリケータが、前記表示長さのテープの前記長さを超えた長さを有する不連続な長さのテープを形成し、前記不連続な長さのテープを、前記表示長さのテープについて前記所定の端部位置の全長に沿って延在している前記テープの前記長手方向端部を備えた前記適用面に沿って表面に接合する手段と、前記適用面に沿って前記表面に接合した前記不連続な長さのテープを交差方向に切断して、前記表示長さのテープの端部を形成することによって、前記適用された不連続な長さのテープから前記表示長さのテープを形成する別個の手段と、を含み、
前記テープアプリケータを用いる工程が、
不連続な長さの装飾フィルムテープを、前記表示長さの装飾フィルムテープについて前記所定の端部位置の全長に沿って延在している前記装飾フィルムテープの長手方向端部を備え、前記不連続な長さの装飾フィルムテープの特定の部分を互いに重ね合わせた所定のパターンで前記シートの１枚の前記第１の表面に形成し適用する工程と、
前記テープアプリケータを用いて、前記シートの１枚に接合した前記不連続な長さの装飾フィルムテープを交差方向に切断して、前記適用された長さの装飾フィルムテープの前記重なった部分で位置合わせされ近接配置された端部を含む前記表示長さの装飾フィルムテープに端部を形成することによって、前記適用された不連続な長さの装飾フィルムテープから前記表示長さの装飾フィルムテープを形成する工程と、
前記不連続な長さの装飾フィルムテープを切断することにより得られた前記不連続な長さの装飾フィルムテープの前記シートの１枚のスクラップ部分から取り外して、前記表示長さの装飾フィルムテープを形成する工程と、
を含む、請求項９に記載のラミネートの製造方法。
【請求項１１】
前記テープアプリケータを用いて異なる所定の形状および長さの前記表示長さの装飾フィルムテープを形成し、これらの表示長さの装飾フィルムテープを前記シートの一枚の前記第１の表面に所定のパターンで接合する工程において、前記パターンが位置合わせされ近接配置された端部を含み、前記近接配置された端部間の空間が前記適用された表示長さの装飾フィルムテープの少なくともある部分について０．００５〜０．１２インチすなわち０．０１３〜０．３ｃｍである、請求項９に記載のラミネートの製造方法。
【請求項１２】
前記剥離ライナを前記表示長さの装飾フィルムテープに含まれる前記接着剤層および前記プレマスク材料層に含まれる前記取り外し可能な接着剤から取り外す工程と、
前記表示長さの装飾フィルムテープおよび前記基材に沿って所望の位置で前記表示長さの装飾フィルムテープを備えた基材上の前記プレマスク材料層に含まれる前記接着剤層を配置する工程と、
前記表示長さの装飾フィルムテープおよび前記基材に含まれる前記接着剤層間からの空気を搾り出す工程と、
前記プレマスク材料層を取り外して前記基材に接合した前記表示長さの装飾フィルムテープを露出する工程と、
をさらに含む、前記ラミネートを用いて基材を装飾する工程をさらに含む、請求項９に記載の方法。
【請求項１３】
前記適用面で前記シートの１枚の前記第１の主面により前記シートの１枚を支持する工程において、前記プレマスク材料の第１のシートが、前記適用面において前記プレマスク材料の前記シートの前記第１の主面で支持される、請求項９に記載のラミネートの製造方法。
【請求項１４】
前記適用面で前記シートの１枚の前記第１の主面により前記シートの１枚を支持する工程において、前記剥離ライナの第２のシートが、前記適用面において前記剥離ライナシートの前記第１の主面で支持される、請求項９に記載のラミネートの製造方法。
【請求項１５】
カバー層と前記カバー層の一表面に接合した取り外し可能な接着剤層とを含むプレマスク材料層と、
対向主面を有するある一定長さの装飾フィルムと前記主面の１つに沿った接着剤層とを含む表示長さの装飾フィルムテープと、
前記カバー層の前記取り外し可能な接着剤および前記装飾フィルムの前記接着剤により剥離可能に接合されるように構成された第１および第２の主面を有する剥離ライナと、
コンピュータ操作されるテープアプリケータにより形成され、所定のパターンで前記テープアプリケータにより前記剥離ライナの前記第１の主面に適用された異なる所定の形状および長さを有する前記表示長さの装飾フィルムテープと、
前記剥離ライナおよび前記表示長さの装飾フィルムテープ周囲の前記剥離ライナに接合された前記表示長さの装飾フィルムテープの前記外側主面を覆うように接合された前記プレマスク材料層に含まれた前記取り外し可能な接着剤層と、
を含む、基材を装飾するのに用いるのに適合したラミネート。
【請求項１６】
前記剥離ライナに接合した前記表示長さの装飾フィルムテープのいくつかが、０．００５〜０．１２インチすなわち０．０１３〜０．３ｃｍの前記近接配置された端部間の空間で、近接配置された端部を有している、請求項１５に記載のラミネート。
【請求項１７】
前記装飾フィルムが、前記接着剤層の逆の前記装飾フィルムの前記主面に沿って溝またはその他の構造を有していて、前記装飾フィルムが装飾構造を視覚的にシミュレートしている、請求項１５に記載のラミネート。
【請求項１８】
前記装飾フィルムが前記装飾フィルム内に光反射層を有する、請求項１５に記載のラミネート。
【請求項１９】
請求項９に記載の方法により製造されたラミネート。
【発明の詳細な説明】
【技術分野】
【０００１】
本発明は、接着剤のコートされた装飾物体をガラスシートのような基材に適用する方法およびアセンブリに関する。
【背景技術】
【０００２】
特許文献１には、ポリマーカバーシートまたは層と、通気したプレマスク材料層を備えたカバーシートの一表面に強く接合した取り外し可能な感圧接着剤層と、を含むプレマスク材料層を用いて基材（例えば、ガラスシート）に感圧接着剤のコートされたグラフィックスを適用する方法が記載されている。通常、この方法には、感圧接着剤層の逆のグラフィックス表面を、グラフィックス、プレマスク材料層および基材を濡らす湿潤液体を用いて、プレマスク材料層の感圧接着剤層に接合する工程と、プレマスク材料層に接合したグラフィックスを基材の所望の位置に配置する工程と、基材とプレマスク材料層に接合したグラフィックスの間から空気および水を搾り出す工程と、湿潤液体を乾燥させる工程と、プレマスク材料層を取り外して基材に接合したグラフィックスを残す工程とが含まれる。
【０００３】
特許文献２には、それぞれが一表面に沿って感圧接着剤層と、対向する外側主面（例えば、溝付きおよび／または蒸気コートされた表面）と、を有する光学フィルム片が記載されており、この片はベベル端部を備えた、または長さ方向に沿って溝を備えた、またはリードの外観を備えた、またはテクスチャード表面を備えたガラスのような装飾ガラスを視覚的にシミュレートしており、あるいは金属カム（ｃａｍｅ）のようなガラス関連構造を視覚的にシミュレートしている。かかる片の光学フィルムは、自動適用装置を用いて所定のパターンで基材（例えば、窓ガラス）に適用されてきたが、これまで、かかる光学フィルムを窓やその他ガラス基材へ、所望の視覚上のシミュレーションを与えるのに必要な正確性で自家所有者のような人々が適用するのは非常に困難であった。
【０００４】
２００１年１月１７日に出願された特許文献３には、自家所有者のような人々が基材（例えば、窓や鏡のガラスシート）に、特許文献２に記載された種類の光学フィルムの別個の片を用いて作成された装飾デザインを適用する方法が記載されており、これらの片それぞれは、一表面に沿って接着剤層と、逆の外側構造主面（溝付きおよび／または蒸気コートされた表面）を有しており、これら片は、ベベル端部を備えた、または長さ方向に沿って溝を備えた、またはリードの外観を備えた、またはテクスチャード表面を備えたガラスのような装飾ガラスを視覚的にシミュレートしており、あるいは金属カム（ｃａｍｅ）のようなガラス関連構造を視覚的にシミュレートしている。通常、この方法は、（１）一表面に強く接合した取り外し可能な接着剤（例えば、感圧接着剤）層を備えたカバーシートと、所定の印刷されたデザインと、印刷されたデザインの部分に対応している周囲形状を有する光学フィルム片であって、各片が一表面に沿って接着剤（例えば、感圧接着剤）層と、逆の外側主面（例えば、溝付きおよび／または蒸気コート表面）と、を有していて、装飾構造を視覚上シミュレートしている光学フィルム片を含む少なくとも半透明のプレマスク材料層を含むキットを提供する工程と、（２）共通面に沿ってフィルム片の外側主面を備えた形状に対応するデザインの部分を覆うように光学フィルム片を配置する工程と、（３）プレマスク材料層の接着剤層をフィルム片の外側主面に接合する工程と、（４）プレマスク材料層の接着剤層に接合された光学フィルム片を基材の所望の位置に適用する工程と、（５）プレマスク材料層およびプレマスク材料層に接合された光学フィルム片を基材に対してプレスして、プレス工程中、プレマスク材料層がフィルム片の外側主面を損傷から保護する工程と、（６）プレマスク材料層を取り外して、所定のデザインで基材に接合した光学フィルム片を残す手段と、を含んでいる。プレマスク材料層は水蒸気透過性または水蒸気透過性にしておくのが好ましく（例えば、特許文献１に記載されたようにして通気したプレマスク材料層）、基材の所望の位置でプレマスク材料層の接着剤層に接合した光学フィルム片を配置する工程の前に、湿潤液体を用いて、光学フィルム片、プレマスク材料層および基材を湿潤させる。湿潤液体によって、その工程とプレマスク材料層を取り外す工程の間乾燥させることができる。
【特許文献１】米国特許第５，６６５，４４６号公報
【特許文献２】米国特許第５，８４０，４０７号公報
【特許文献３】米国特許出願第０９／７６１，７９７号公報
【発明の開示】
【課題を解決するための手段】
【０００５】
本発明は、自家所有者のような人々が、基材（例えば、窓、ドアまたは鏡のガラスシート）に、特に、米国特許第５，８４０，４０７号に記載された光学フィルムをはじめとする（これに限定されるものではない）装飾フィルム片でできた装飾デザインを正確に適用することのできるラミネートの製造方法を提供する。光学フィルムの各片は、一表面に沿って接着剤層と、逆の外側主面（例えば、溝付きおよび／または蒸気コートされた表面）と、を有しており、片は、ベベル端部を備えた、または長さ方向に沿って溝を備えた、またはリードの外観を備えた、またはテクスチャード表面を備えたガラスのような装飾構造、または金属カム（ｃａｍｅ）または米国特許第５，８８２，７７４号に記載された光学フィルムのようなガラス関連構造を視覚的にシミュレートしている。
【０００６】
通常、本発明による基材を装飾するためのラミネートの作成方法は、（１）カバー層と、カバー層の一表面の取り外し可能な接着剤層と、を含むプレマスク材料を提供する工程と、（２）一主面に沿って攻撃的な接着剤層を有するある一定長さの装飾フィルムと、フィルムの主面を見たときに、装飾外観を与える装飾フィルムにある手段と、を含む供給長さの装飾フィルムテープを提供する工程と（すなわち、接着剤層の逆の装飾フィルムの外側主面に沿った溝またはその他構造であって、装飾フィルムは装飾構造、フィルム内の光反射層またはその他装飾構造を目視上シミュレートしている）、（３）対向する第１および第２の主面を有し、第１の主面がカバー層の接着剤および装飾フィルムの接着剤に剥離可能に接合されるように構成された剥離ライナを提供する工程と、（４）テープアプリケータを提供する工程と、を含む。剥離ライナは、適用面において第１の主面により支持でき、テープアプリケータは形成手段を含み、供給長さの装飾フィルムテープから異なる所定の長さおよび端部形状の表示長さの装飾フィルムテープを形成し、これらの表示長さの装飾フィルムテープを所定の端部位置に沿って延在している表示長さのテープの長手方向端部を備えた所定のパターンで剥離ライナの第１の表面に適用するのに用いることができ、適用パターンは、適用された表示長さの装飾フィルムテープの少なくとも一部について位置合わせされ近接配置された端部を含んでいる（例えば、近接配置された端部間の空間は０．００５〜０．１２インチすなわち０．１３〜０．３０ｃｍである）。プレマスク材料層に含まれる取り外し可能な接着剤層は、接合された表示長さの装飾フィルムテープの外側主面を覆うように剥離ライナおよび表示長さの装飾フィルムテープ周囲の剥離ライナに接合することができる。
【０００７】
提供されたテープアプリケータは、形成および適用手段を含むことができ、不連続な長さの装飾フィルムテープを、表示長さのテープについて所定の端部位置の全長に沿って延在している不連続な長さの装飾フィルムテープの長手方向端部を備え、不連続な長さの装飾フィルムテープの特定の部分を互いに重ね合わせた所定のパターンで剥離ライナの第１の表面に形成し適用するのに用いることができる。テープアプリケータはまた、適用面に沿って表面に接合した不連続な長さのテープを交差方向に切断する別個の手段を含むことができ、不連続な長さの装飾フィルムテープを交差方向に切断するのに用いて、適用された不連続な長さの装飾フィルムテープの重なった部分で位置合わせされ近接配置された端部を含む表示長さの装飾フィルムテープに端部を形成することによって、不連続な長さの装飾フィルムテープから表示長さの装飾フィルムテープを形成することができる。表示長さの装飾フィルムテープを形成するために、不連続な長さの装飾フィルムテープを切断することにより得られる不連続な長さの装飾フィルムテープのスクラップ部分を剥離ライナから取り外す。
【０００８】
得られたラミネートは、表示長さの装飾フィルムテープに含まれる接着剤層、およびそれら接着剤層の逆にある表示長さの装飾フィルムテープの外側主面と、表示長さの装飾フィルムテープ周囲の剥離ライナの部分に接合されたプレマスク材料層に含められた剥離可能な接着剤層により、剥離ライナに接合された、装飾パターンの表示長さの装飾フィルムテープを含む。自家所有者のような人は、このラミネートを用いて、剥離ライナをプレマスク材料層に含まれる取り外し可能な接着剤およびプレマスク材料層に含まれる取り外し可能な接着剤層に接合された外側主面を有する表示長さの装飾フィルムテープに含まれる接着剤層から取り外し、表示長さの装飾フィルムテープを備えた基材上のプレマスク材料層および表示長さの装飾フィルムテープに含まれる露出した接着剤層を、基材に沿って所望の位置に配置し、基材と、表示長さの装飾フィルムテープに含まれる接着剤層との間の空気を搾り出し、プレマスク材料層を取り外して、所定の装飾パターンで基材に接合された表示長さの装飾フィルムテープを残すことにより、基材（例えば、窓、ドアまたは鏡のガラスシート）を装飾することができる。
【０００９】
カバー層およびカバー層上の接着剤層を選択すると、プレマスク材料層表面間に水蒸気が通過でき、基材を装飾するためにラミネートを用いる方法はさらに、基材に沿ってプレマスク材料層上の表示長さの装飾フィルムテープを配置する前に（すなわち、湿潤液体が滑剤として作用して、基材に沿って所望の位置でグラフィックを配置する補助となる）、湿潤液（例えば、石鹸と水の溶液）を用いて表示長さの装飾フィルムテープおよびプレマスク材料層に含まれる接着剤層および基材を濡らす工程と、基材と装飾フィルムテープ片に含まれる接着剤層との間から空気にと共に水を搾り出す工程と、プレマスク材料層を取り外す工程の前に、湿潤液を乾燥させる工程と、をさらに含むことができる。
【００１０】
同様のテープアプリケータを用いて上述したプレマスク材料、供給長さの装飾フィルムテープおよび剥離ライナの同じ層から上述した実質的に同じラミネートを形成する別の方法は、適用面において、カバー層とは逆の取り外し可能な接着剤層表面によりプレマスク材料層を支持する工程と、テープアプリケータを用いて、供給長さの装飾フィルムテープから異なる所定の長さおよび端部形状の表示長さの装飾フィルムテープを形成し、所定の端部位置に沿って延在している表示長さのテープの長手方向端部により所定のパターンで取り外し可能な接着剤層の第１の表面にこれらの表示長さの装飾フィルムテープを適用する工程であって、適用パターンが、適用された表示長さの装飾フィルムテープの少なくとも一部について位置合わせされ近接配置された端部を含んでいる工程と、表示長さの装飾フィルムテープの攻撃的な接着剤層および表示長さの装飾フィルムテープ周囲で露出しているプレマスク材料層に含まれる取り外し可能な接着剤層の部分に対して剥離ライナを押し付ける工程と、を含む。
【００１１】
添付の図面を参照して、本発明をさらに説明する。いくつかの図面において、同じ参照番号は同じ部分を参照している。
【発明を実施するための最良の形態】
【００１２】
図１および２に、本発明に従った方法により作成されたラミネート５００を示す。ラミネート５００は、窓ガラス、ドアまたは鏡のような基材を装飾するのに用いるのに適合している。ラミネート５００は、それぞれある一定長さの装飾フィルム５１４を含む複数の表示長さ５０２の装飾フィルムテープとプレマスク材料層５１０とを含み（図２参照）、表示長さ５０２の装飾フィルムテープは、表示長さ５０２の装飾フィルムテープに含まれる感圧接着剤層５０９により所定の装飾パターンで剥離ライナ５０８の主面に接合しており、少なくとも半透明であるのが好ましいプレマスク材料層５１０は、カバー層５１１と、剥離ライナ５０８逆側の表示長さの装飾フィルム５１４の外側主面に、そして表示長さ５０２の装飾フィルムテープによりカバーされていない領域において剥離ライナ５０８の主面に接合されたカバー層５１１の逆の表面を有するカバー層５１１の一表面に固着された取り外し可能な接着剤層５１２と、を含んでいる。プレマスク材料５１０層の断片しか図１には示していないが、プレマスク材料５１０層は、剥離ライナ５０８と共に延在しており、表示長さ５０２の装飾フィルムテープの全体にわたって延在している。
【００１３】
表示長さ５０２の装飾フィルムテープが接合された剥離ライナ５０８は、ポリマー材料（例えば、ポリエステル、ポリエチレンまたはポリプロピレンまたはその他平滑なポリマーフィルム、０．００１〜０．０１０インチすなわち０．００３〜０．０２５ｃｍの厚さ、剥離コーテイング（例えば、シリコーンを含有するコーティング）を有する）でできており、表示長さ５０２の装飾フィルムテープおよびプレマスク材料５１０層のそれぞれに、接着剤層５０９および５１２により剥離可能な接着力を与える。
【００１４】
各表示長さ５０２の装飾フィルムテープにおけるある一定長さの装飾フィルム５１４は、溝、蒸気コーティングおよび／またはその他構造を、他の主面に沿った感圧接着剤層５０９の逆の外側主面の構造化表面に沿って有しており、装飾フィルム５１４が、単一ベベル、ベベル端部を備えた、または長さ方向に沿って中央溝（例えば、Ｖ形溝）を備えた、またはリードの外観を備えた、またはテクスチャード表面を備えたガラスのような装飾ガラスを視覚的にシミュレートしており、あるいは金属カム（ｃａｍｅ）のようなガラス関連構造（例えば、１９９８年１１月２４日発行の米国特許第５，８４０，４０７号に記載された光学フィルム片）を視覚的にシミュレートしている。米国特許第５，８４０，４０７号に開示された種類のある一定長さの光学フィルムと一主面に沿った感圧接着剤層を含むテープは、ミネソタ州セントポールの３Ｍ社（３Ｍ  Ｃｏｍｐａｎｙ，Ｓｔ．Ｐａｕｌ，ＭＮ）より３Ｍ（登録商標）アッセントリム（Ａｃｃｅｎｔｒｉｍ）（登録商標）テープ、Ｂ２００シリーズ（Ｖ溝テープ）およびＢ１００シリーズ（端部ベベルテープ）として市販されている。装飾フィルムテープに用いることのできるその他の装飾または視覚的に識別されるフィルムとしては、ガラス面に適用して、実際のエッチングまたはサンドブラストを一部利用してガラスにエッチングまたはサンドブラストされたと思われるグラフィックスを形成することのできる、ミネソタ州セントポールのミネソタマイニング・アンド・マニュファクチュアリング社（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ，Ｓｔ．Ｐａｕｌ，ＭＮ）より入手可能な装飾複屈折性多層フィルム、米国特許第５，８８２，７７４号に記載された「放射光フィルム（Ｒａｄｉａｎｔ  Ｌｉｇｈｔ  Ｆｉｌｍ）」という商品名のもの、同じくミネソタマイニング・アンド・マニュファクチュアリング社（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）より入手可能なビニルフィルムが挙げられる。これらのビニルフィルムは、一般的に可塑化ポリ（塩化ビニル）であり、スコッチカル（Ｓｃｏｔｃｈｃａｌ）（登録商標）シリーズ７７２５特殊効果フィルムとして市販されている。これらと共に、スコッチカル（Ｓｃｏｔｃｈｃａｌ）（登録商標）７７２５−３１４ダスト結晶フィルムは、エッチングされたガラスの外観を与え、スコッチカル（Ｓｃｏｔｃｈｃａｌ）（登録商標）７７２５−３２４フロスト結晶フィルムはサンドブラストガラスの装飾外観を与える。これらの特殊効果ビニルフィルムはそれぞれ、攻撃的な感圧接着剤層と、この接着剤を保護する低接着力キャリアウェブと、を含んでいる。感圧接着剤を選択してガラスへの強固な接合を形成する。
【００１５】
プレマスク材料５１０層が「少なくとも半透明」である、とは、プレマスク材料５１０層が乾燥または濡れているときに半透明または透明であり、具体的には、濡れたときに半透明または透明であるプレマスク材料層を含んでいることを意味する。プレマスク材料５１０層は、これに限られるものではないが、主面間のカバー層５１１および接着剤層５１２を通る通路５１６により通気する手段により主面間で水蒸気を通過させるのが好ましい（例えば、１９９８年５月１２日発行の米国特許第５，７４９，９９４号に記載されたプレマスク材料層）。あるいは、プレマスク材料５１０層を選択して、穿孔されていなくても、水分を通過させて表示長さ５０２の装飾フィルムテープが接合した基材の乾燥を促すことができる。プレマスク材料層のようなカバー層５１１に好適な材料（ある用途については透明または半透明である必要はない）は、ポリマー、紙、セルロース、不織ファイバーまたはその他織材料とすることができ、取り外し可能な接着剤層５１２は、水分が通過できるような間隔で不規則に配置された接着剤ストランドから形成することができる。
【００１６】
通常、ラミネート５００を製造する本発明による方法は、図８〜１８に示すテープアプリケータ１０を用いて、表示長さ５０２の装飾フィルムテープを所定のパターンで剥離ライナ５０８表面に形成および適用し、手動またはラミネーティング機により剥離ライナ５０８および表示長さ５０２の装飾フィルム周囲の剥離ライナ５０８の一部に接合された表示長さ５０２の装飾フィルムテープの外側主面を覆うようにプレマスク材料５１０層に含まれた取り外し可能な接着剤５１２層を接合するものである。
【００１７】
ラミネート５００を自家所有者のような人が入手すると、剥離ライナ５０８をラミネート５００の表示長さ５０２の装飾フィルムテープに含まれる接着剤５０９層から、そして表示長さ５０２の装飾フィルムテープ周囲で露出しているプレマスク材料５１０層に含まれる取り外し可能な接着剤５１２層の一部から取り外し、表示長さ５０２の装飾フィルムテープおよびプレマスク材料５１０層に含まれる露出した接着剤層５０９および５１２を基材５１８の所望の位置に配置し（図３）、基材５１８と、プレマスク材料５１０層に含まれる接着剤５１２層に接合した外側主面を有する表示長さ５０２の装飾フィルムテープに含まれる接着剤５０９層との間の空気を搾り出し、プレマスク材料５１０層を取り外して、図５および６に示すように所定の装飾パターンで基材５１８に接合された表示長さ５０２の装飾フィルムテープを残すことにより、例えば、枠５２０に囲まれた窓のガラスシート表面のような基材５１８（図３、４、５および６参照）を装飾することができる。
【００１８】
好ましくは、カバー層５１１およびカバー層５１１の接着剤層５１２によってプレマスク材料５１０の表面間を水蒸気が通過できるときは、本方法にはさらに、表示長さ５０２の装飾フィルムテープおよび基材５１８上のプレマスク材料５１０層に含まれる露出した接着剤層５０９および５１２を配置する工程の前に、湿潤液体を用いて、表示長さ５０２の装飾フィルムテープおよびプレマスク材料５１０層に含まれる接着剤層５０９および５１２を濡らし、基材５１８を濡らす工程を含むことができる。これによって、配置後短い時間（１〜５分）で、表示長さ５０２の装飾フィルムテープおよび基材５１８に沿ってプレマスク材料５１０層に含まれる露出した接着剤層５０９および５１２を滑らせて、基材５１８に沿って所望の位置に表示長さ５０２の装飾フィルムテープを正確に配置することができる。湿潤液体は取り外し工程の前に乾燥させなければならず、押し付ける工程にはまた、表示長さ５０２の装飾フィルムテープに含まれる接着剤層５０９と、それらが配置される基材の間から水を搾り出す工程が含まれていなければならず、その間、プレマスク材料５１０層をプレスすることによって、表示長さ５０２の装飾フィルムの外側主面を損傷から保護される。具体的には、表示長さ５０２の装飾フィルムテープが取り付けられる基材またはガラスシート５１８は清浄にし（例えば、液体ガラスクリーナにより）、噴出ボトルからの湿潤液体または溶液（例えば、水中１／２（重量）％の石鹸）を用いて、装飾フィルムテープ片およびプレマスク材料５１０層に含まれる接着剤層５０８および５１２を濡らし、基材５１８を濡らさなければならない。
【００１９】
図７に、本発明に従った方法により作成された変形実施形態のラミネート６００を示す。ラミネート６００は、窓ガラス、ドアまたは鏡のような基材を装飾するのに用いるのに適合している。ラミネート６００には、表示長さ５０２の装飾フィルムテープに含まれる感圧接着剤の層５０９により所定の装飾パターンで上述した剥離ライナ５０８のシートの主面にそれぞれ接合された上述の複数の表示長さ５０２の装飾フィルムテープと、剥離ライナ５０８の逆の表示長さ５０２の装飾フィルム５１４の外側主面と、表示長さ５０２の装飾フィルムテープによりカバーされていない領域において剥離ライナ５０８の主面に接合された上述したプレマスク材料層とが含まれている。プレマスク材料５１０層の断片しか図７には示していないが、プレマスク材料５１０層は、剥離ライナ５０８と共に延在しており、表示長さ５０２の装飾フィルムテープの全体にわたって延在している。ラミネート６００にある表示長さ５０２の装飾フィルムテープは、ラミネート５００について参照した上述の方法を用いて基材に転写することができる。
【００２０】
図１〜７に示すパターンを有する所定のパターンで表示長さ５０２の装飾フィルムテープを形成し剥離ライナ５０８に適用するテープアプリケータ１０は、２００１年１月１２日出願の米国特許出願第０９／７５９，７９５号に記載されたテープアプリケータ１０とすることができる。通常、図８〜１８に示すように、適用について記載されたテープアプリケータ１０は、テープアプリケータ１０により画定される適用面において支持面２２とは逆の主面を備えた剥離ライナ５０８のようなシート材料を支持するための支持平面２２を有するテーブルトップ２１と、リーディングエンド１０７と逆のトレイリングエンド１１５を有する枠１０６を含むテープヘッド１００と、を有している。テープアプリケータ１０はまた、枠１０６リーディングのリーディングエンド１０７と共に直線の動きを含む複数の直線の動きを含む所定のパターンで支持表面２２にテープヘッド１００の枠１０６を移動するためにコンピュータ操作されるアセンブリも含んでいる。テープヘッド１０はさらに、円柱適用表面１２１を有する適用部材またはローラ１２０と、適用面に沿って適用表面１２１を備えた適用位置と適用面からまたはその上から間隔をあけて適用表面１２１を備えた剥離位置との間を移動するためのトレイリングエンド１１５近傍の枠１０６に適用部材１２０を装着する手段と、を含んでいる。供給長さ９２の装飾フィルムテープを支持し、適用表面１２１を超えて延在している経路に沿って供給長さ９２の装飾フィルムテープを導くために、枠１０６に手段が与えられ、経路に沿った装飾フィルムテープの端部は、枠１０６リーディングのリーディングエンド１０７と共に直線の動きの間、枠１０６の移動方向に平行である。切断手段または第１のカッター１１６は、経路に沿って移動する供給長さ９２の装飾フィルムテープから適用面に沿って剥離ライナ５０８に適用された不連続な長さ５０１の装飾フィルムを切断するために経路に沿って枠１０６に提供される。供給長さ９２の装飾フィルムテープを経路に沿って進めるための枠１０６にある手段は、適用表面１２１に対して第１のカッター１１６により形成された供給長さ９２の装飾フィルムテープの新たに切断された端部へ移動していく。周囲に細長い円形切断鋭端部１５５を有する円形ブレード１５６を含む切断手段または第２のカッター１５４が、剥離ライナ５０８に沿って不連続な長さ５０１の装飾フィルムテープを通して切断可能な適用面に沿って切断端部１５５を備えた適用位置と適用面からまたはその上から間隔をあけて切断端部１５５を備えた剥離位置との間の回転および移動のために枠１０６に装着されている。
【００２１】
ラミネート５００を形成するために、剥離ライナ５０８は支持表面２２に支持されて適用面において支持表面２２とは逆の主面を配置する。不連続な長さ５０１の装飾フィルムテープは、各不連続な長さ５０１について、不連続な長さ５０１の装飾フィルムテープのある部分が互いに重なるように（必ずしもではない）、所定のパターンで剥離ライナ５０８に適用される。つまり、（１）適用部材１２０が剥離位置にあるときに、適用部材１２０の適用表面１２１に沿って供給長さ９２の装飾フィルムテープの端部を配置し、（２）適用部材１２０を適用位置に移動し、テープヘッド１００の枠１０６を、枠１０６リーディングのリーディングエンド１０７と共に直線の動きで適用面を覆うように動かして、供給長さ９２の装飾フィルムテープを経路に沿って引っ張って、適用部材１２０が動くにつれて、不連続な長さ５０１の装飾フィルムテープを剥離ライナ５０８の表面に適用し、（３）切断手段または第１のカッター１１６を操作して、適用された不連続な長さ５０１の装飾フィルムテープに端部９６を、供給長さ９２の装飾フィルムテープに新たな端部を形成することによる。テープアプリケータ１０を用いて、第２のカッター１５４により、剥離ライナ５０８に適用された不連続な長さ５０１の装飾フィルムテープを切断して、剥離ライナ５０８の表面に沿って所定の位置で適用された不連続な長さ５０１の装飾フィルムに、適用された不連続な長さ５０１の装飾フィルムテープの重なった部分での位置合わせされ近接配置された端部を含む新たな端部を形成する。第２のカッター１５４による切断によって、剥離ライナ５０８に適用された不連続な長さ５０１の装飾フィルムから表示長さ５０２の装飾フィルムテープを形成する。かかる切断は、切断位置においてカッター１５４により所定の経路に沿って適用面の上にテープヘッド１００の枠１０６を移動することによりなされ、カッター１５４の切断端部１５５が、適用された不連続な長さ５０１の装飾フィルムテープを横切る。新たな端部および表示長さ５０２の装飾フィルムテープを形成するために、適用された不連続な長さ５０１の装飾フィルムテープを切断することにより得られる適用された不連続な長さ５０１の装飾フィルムのスクラップ部分を、手で剥離ライナ５０８から取り外し、プレマスク材料５１０層に含まれる取り外し可能な接着剤５１２層を手で、剥離ライナ５０８に接合した表示長さ５０２の装飾フィルムテープの外側主面５１３に接合し、表示長さ５０２の装飾フィルムテープ周囲の剥離ライナ５０８にも接合してラミネートを完成させる。
【００２２】
図８〜１８を参照して、２００１年１月１２日出願の米国特許出願第０９／７５９，７９５号に記載されたテープアプリケータ１０のより詳細な説明を以下に行う。テープアプリケータ１０は、支持平面２２を有するテーブルトップ２１を保持するための枠１２を有している。テーブルトップ２１は、図示したように傾けると、操作者が容易に剥離ライナ５０８のような材料シートを支持表面２２に載せることができる。テープアプリケータ１０は、支持表面２２に静置されたシート材料または剥離ライナ５０８を保持するために真空システム（図示せず）を含んでいてもよい。かかる真空システムは、テーブルトップ２１および支持表面２２を通して間隔の狭い開口部を有しており、これら間隔の狭い開口部は、テーブルトップ２１下で大気圧より遥かに低い空気圧源（すなわち、真空）と連通している。この代わりに、剥離ライナ５０８は、静電気を用いるか、または感圧接着剤のコートされたテープ（例えば、マスキングテープ）を用いて支持表面２２に静置させることもできる。支持表面２２および枠１２は、図示した剥離ライナ５０８のような所望のサイズの剥離ライナを取扱い、テープヘッド１００およびテープヘッドを支持表面２２に移動するための手段に含まれるアクチュエータ３０、３２および３４を支持するサイズである。
【００２３】
テープアプリケータ１０は、ｘ軸とｘ軸に法線のｙ軸とを画定し、ｘおよびｙ軸はテーブルトップ２１の支持表面２２に平行な面にあり、これと共にｘおよびｙ軸により画定される面に垂直なｚ軸も画定している。テーブルトップ２１には、ｘ軸に平行な第１の隆起端部２４とｙ軸に平行な第２の隆起端部２６と、これら隆起端部２４および２６にそれぞれ沿って測定目盛り２７を有している。使用者は、支持表面２２に剥離ライナ５０８のシートを、その端部を隆起端部２４および２６に押し付けるようにして置くことができる。
【００２４】
テープアプリケータ１０は、テープヘッド１００をテーブルトップ２１の異なる位置で支持および移動するための支持アーム１８を有している。支持アーム１８は、ｙ軸に平行に延在しており、第１のスライドロッド１９ａ、１９ｂに沿ってｘ軸に平行な方向に動く。第１のスライドロッド１９ａ、１９ｂに対向する支持アーム１８の端部は、脚５４と、脚５４に回転自在に装着されたホイール５６と、を有している。ホイール５６は、テーブルトップ２１上の支持アーム１８を支持するのを補助して、支持アーム１８をｘ軸に平行な方向で支持表面２２に沿って移動することができる。支持アーム１８はまた、第２のスライドロッド６０ａ、６０ｂも有しており、テーブルトップ２１に近接した支持アーム１８の側部に配置され、ｙ軸に平行な方向に延在している。テープヘッド１００は、支持アーム１８のスライドロッド６０ａ、６０ｂに沿ってｙ軸に平行な方向に動くことができる。
【００２５】
図８に、テーブルトップ２１の上の「定位置」に配置されたテープヘッド１００を示す。操作者がテーブルトップ２１に剥離ライナ５０８シートを配置するとき、そこには通常、テープヘッド１００が配置されている。図９に、異なる位置に動いたテープヘッド１００を示す。テープヘッド１００が支持表面２２を動くと、不連続な長さ５０１の装飾フィルムテープが剥離ライナ５０８のシートに適用される。テープヘッド１００を支持表面２２の新たな位置に移動するために、テープヘッド１００をｘ軸とｙ軸の両方に平行な方向に移動する必要がある場合がある。テープヘッド１００をテーブルトップ２１のｘ軸に平行な方向に移動するためには、支持アーム１８が第１のスライドロッド１９ａおよび１９ｂに沿ってスライドする。ｙ軸に平行な方向にテープヘッド１００を移動するために、テープヘッドは、支持表面２２に近接した支持アーム１８の側部に配置された第２のスライドロッド６０ａ、６０ｂに沿って動く。テープアプリケータは、支持表面２２に沿って第１の位置にテープヘッド１００を動かし、供給長さ９２の装飾フィルムテープの端部を支持表面２２の剥離ライナ５０８のシートに接合し、テープヘッド１００を直線で支持表面２２に沿って第２の位置に移動することによって、不連続な長さ５０１の装飾フィルムテープを支持表面２２の剥離ライナ５０８のシートに適用する。
【００２６】
図１０に、テープアプリケータ１０が支持表面２２に沿ってｘ軸に平行な方向にテープヘッド１００を移動するｘ軸アクチュエータ３０と、テープアプリケータ１０が支持表面２２に沿ってｙ軸に平行な方向にテープヘッド１００を移動するｙ軸アクチュエータ３２と、ｚ軸に平行な軸周囲でテープヘッド１００を回転させるｚ軸アクチュエータ３４と、を示す。ｘ軸アクチュエータ３０には、モータ３１、ボールねじ４０、ボールねじ４０のベアリングを含み第１のスライドロッド１９ａ、１９ｂの端部を受ける端受け４１と、第１のスライドロッド１９ａ、１９ｂに沿って支持アーム１８を動かす車４６とが含まれる。支持アーム１８はプレート４２により車４６に取り付けられている。モータ３１がボールねじ４０を回転するにつれて、ボールねじは回転して第１のスライドロッド１９ａ、１９ｂに沿ってｘ軸に平行な方向に車４６を動かす。車４６が動くにつれて、支持アーム１８およびテープヘッド１００は支持表面２２を超えて車４６と共に動く。ニューヨーク州ポートワシントンのトムソンインダストリーズ社（Ｔｈｏｍｓｏｎ  Ｉｎｄｕｓｔｒｉｅｓ，  Ｉｎｃ．，Ｐｏｒｔ  Ｗａｓｈｉｎｇｔｏｎ，ＮＹ）よりトムソン（Ｔｈｏｍｓｏｎ）という商品名、部品番号２ＥＢ１６ＦＴＢＴＬで市販されているリニアシステムアクチュエータのような市販のｘ軸アクチュエータであれば何れを用いてよい。ｘ軸アクチュエータのモータ３１は、ステップモータ（例えば、ミネソタ州セントポールのブラスカンパニー（Ｂｒａａｓ  Ｃｏｍｐａｎｙ，Ｓｔ．Ｐａｕｌ，ＭＮ）よりコンピュモータ（Ｃｏｍｐｕｍｏｔｏｒ）という商品名、部品番号ＣＰ＊Ｓ５７−１０２−ＭＯ−２５で販売されているステップモータ）とすることができる。
【００２７】
ｙ軸アクチュエータには、モータ３３、ボールねじ６２、ボールねじ６２のベアリングを含み第１のスライドロッド６０ａ、６０ｂの端部を受ける端受け６１と、ｙ軸に平行な方向に支持アーム１８に沿ってテープヘッド１００を動かす車６８とが含まれる。テープヘッド１００はプレート６４により車６８に取り付けられている。支持アーム１８の一部を切り欠いてｙ軸アクチュエータ３２を図示する。モータ３３がボールねじ６２を回転するにつれて、車６８をｙ軸に平行な方向に第２のスライドロッド６０ａおよび６０ｂに沿って動く。車６８が動くにつれて、テープヘッド１００は支持アーム１８に沿って車６８と共に動く。ニューヨーク州ポートワシントンのトムソンインダストリーズ社（Ｔｈｏｍｓｏｎ  Ｉｎｄｕｓｔｒｉｅｓ，  Ｉｎｃ．，Ｐｏｒｔ  Ｗａｓｈｉｎｇｔｏｎ，ＮＹ）よりトムソン（Ｔｈｏｍｓｏｎ）という商品名で、部品番号２ＲＢＭ１６０ＤＭＫＬ１３００で、市販されているリニアシステムアクチュエータのような市販のｙ軸アクチュエータであれば何れを用いてよい。ｙ軸アクチュエータのモータ６１は、ステップモータ（例えば、ミネソタ州セントポールのブラスカンパニー（Ｂｒａａｓ  Ｃｏｍｐａｎｙ，Ｓｔ．Ｐａｕｌ，ＭＮ）よりコンピュモータ（Ｃｏｍｐｕｍｏｔｏｒ）、部品番号ＣＰ＊Ｓ５７−５１−ＭＯ−２５で販売されているステップモータ）とすることができる。
【００２８】
ｚ軸に平行な軸周囲でテープヘッド１００を回転させる回転アクチュエータ３４はプレート６４に装着されている。回転アクチュエータ３４には、モータ８２、ギアレジューサ８０、モータ８２とギアレジューサ８０間に配置されたフランジ８６が含まれる。回転アクチュエータ３４は、テープヘッド１００の枠１０６のブラケット１０５（ここには図示されていない、図１２および１４を参照）に固定された端部を有するアクチュエータから突出している回転シャフトによりテープヘッド１００に取り付けられている。モータ８２は、ステップモータ（例えば、ミネソタ州セントポールのブラスカンパニー（Ｂｒａａｓ  Ｃｏｍｐａｎｙ，Ｓｔ．Ｐａｕｌ，ＭＮ）よりコンピュモータ（Ｃｏｍｐｕｍｏｔｏｒ）、部品番号Ｓ８３＊１３５−ＭＯ−Ｓとして販売されているステップモータ）とすることができる。ギアレジューサ８０は、インラインギアレジューサ（２５対１の比率のインラインギアレジューサで、毎回モータ８２は１２回と半回転回転する）である。ギアレジューサ８０は、テープヘッド１００をｚ軸に平行な軸周囲を１８０°回転する。例えば、２５対１ギアレジューサはミネソタ州セントポールのブラスカンパニー（Ｂｒａａｓ  Ｃｏｍｐａｎｙ，Ｓｔ．Ｐａｕｌ，ＭＮ）よりアルファ（Ａｌｐｈａ）という商品名、部品番号ＬＰ０７０Ｍ０２−２５−１／ＺＥＴＡ５７−２１で販売されているものがある。
【００２９】
図１１に、ｚ軸に平行な軸周囲にテープヘッド１００を回転させる回転アクチュエータ３４を示す。回転アクチュエータ３４は、ｚ軸に平行な軸周囲にテープヘッド１００を回転させて、支持表面またはテーブルトップ２１に異なる角度でテープヘッド１００を配置する。テープヘッド１００は、回転アクチュエータ３４により所望の角度まで回転させることができ、第２のカッター１５４によって、剥離ライナ５０８のシートに適用した後、不連続な長さ５０１の装飾フィルムテープを切断することができる。この詳細については後述してある。回転アクチュエータ３４は支持アーム１８の車６８に装着されている。回転アクチュエータ３４は、モータ８２と、ｚ軸に平行な軸周囲にテープヘッド１００を回転させるギアレジューサ８０と、を有している。上述した通り、ギアレジューサ８０は、そこから延在しているシャフト（ここには図示せず）を有している。シャフトは、テープヘッド１００の枠１０６の第２の側１１３に装着されたブラケット１０５（ここには図示されていない、図１２および１４を参照）に取り付けられ固定されている。回転アクチュエータ３４がシャフトを回転するにつれて、ｚ軸に平行な軸周囲のシャフトと共にテープヘッド１００が回転する。
【００３０】
テープヘッド１００の詳細および操作を図１２〜１４に示す。テープヘッド１００はまず、不連続な長さ５０１の供給長さ９２の装飾フィルムテープを剥離ライナ５０８のシートに適用してから、不連続な長さ５０１の装飾フィルムテープが適用されるにつれて、テープヘッド１００が第１のカッター１１６により装飾フィルムテープを切断して、剥離ライナ５０８に適用された不連続な長さ５０１の装飾フィルムテープの端部を形成する。剥離ライナ５０８に適用されたその不連続な長さ５０１の装飾フィルムテープの端部を、テープヘッド１００が剥離ライナ５０８のシートを動き続けながら、テープヘッド１００により剥離ライナ５０８のシートに適用する。次に、テープヘッド１００が、剥離ライナ５０８のシートに接合された不連続な長さ５０１の装飾フィルムテープを第２のカッター１５４により切断して、所望の形状、および適用された不連続な長さ５０１の装飾フィルムテープに沿って剥離ライナ５０８の所望の位置に新規な端部を形成し（新規な端部は適用された不連続な長さ５０１の装飾フィルムテープの長手方向端部に直角または斜めの方向に延在させることができる）、その不連続な長さ５０１の装飾フィルムテープから１つ以上の表示長さ５０２の装飾フィルムテープを形成し、表示長さ５０２の装飾フィルムテープの端部に新たに形成された端部でその適用された不連続な長さ５０１の装飾フィルムテープのスクラップ片を残す。適用された不連続な長さ５０１の装飾フィルムテープのこれらのスクラップ片を、剥離ライナ５０８のシートから取り外す。テープアプリケータ１０の操作者が手で取り外すことができる。
【００３１】
図１２にテープヘッド１００の第１の側１０９を示す。ｚ軸に平行な軸周囲でテープヘッド１００を回転させる回転アクチュエータ３４は図示されていない。テープヘッド１００には、上部１０６ａと下部１０６ｂとを有する枠１０６が含まれる。テープロールホルダー１０２および第２のテープガイドローラ１０８は、上部１０６ａに回転自在に装着されている。テープロールホルダー１０２は、感圧接着剤のコーティング５０９に沿って剥離可能な接合された剥離ライナ９４を有する供給長さ９２の装飾フィルムテープのロール９０を受ける。テープロールホルダー１０２には、摩擦クラッチ１０３が含まれており、テープロール９０から巻き戻るにつれて供給長さ９２の装飾フィルムテープに逆張力を与える。テープヘッド１００にはまた、第１のテープガイドローラ１１０と、ピンチローラ１１８と、枢転可能なテープガイド１２２と、第１のカッター１１６と、適用ローラ１２０と、ライナ巻き取りローラ１３６とが含まれ、全て、枠１０６の下部１０６ｂに装着されている。第１のカッター１１６には、固定された下部ブレード１１２と可動上部ブレード１１４とが含まれ、これらは固定ブレード１１２に対して枢転して装飾フィルムテープを切断する。適用ローラ１２０はブラケット１３０に回転自在に装着されており、ブラケット１３０はシャフト１３３周囲の枢転の動きのために枠１０６の下部１０６ｂに装着されていて、ブラケット１３０と枠１０６の間を連結している空気シリンダ１３１の操作により動かして、適用面に沿った剥離ライナ５０８のような表面に沿ってバイアスをかけられた適用表面１２１の適用位置と、適用面から上に離れた適用表面１２１の剥離位置の間の支持表面２２近傍の適用ローラ１２０の周囲または適用表面１２１を動かすことができる。ライナ巻き取りローラ１３６には、ライナ巻き取りローラ１３６に巻き付くにつてれ、剥離ライナ９４に張力を与えるための減速装置１３９のギアを介してライナモータ１３７により駆動される摩擦クラッチ１３８が含まれている。
【００３２】
供給長さ９２の装飾フィルムテープは、テープロールホルダー１０２から第２のテープガイドローラ１０８まで経路に沿って、第１のテープガイドローラ１１０とピンチローラ１１８の間に形成されたニップへ、そして枢転テープガイド１２２へ、通常は離れている第１のカッター１１６のブレード１１２と１１４の間、そして、周囲表面が装飾フィルムテープを剥離ライナ５０８へ適用するための適用表面１２１を与える適用ローラ１２０の周囲表面１２１下へと動く。剥離ライナ９４は、テープロールホルダー１０２から、供給長さ９２の装飾フィルムテープから剥離ライナ９４を分離する枢転テープガイド１２２まで延在しているその経路の一部に沿って動く。剥離ライナ９４が供給長さ９２の装飾フィルムテープから分離された後、剥離ライナ９４は、ピンチローラ１１８周囲に巻き付いて、ライナローラ１３６により巻き取られる。詳細については図１５に示してある。
【００３３】
テープヘッド１００に接合された剥離ライナ９４を有する新たなロール９０の装飾フィルムテープを充填した後、装飾フィルムテープおよび剥離ライナ９４は上述したテープ経路に沿ってテープヘッド１００を通してねじ込まれる。ピンチローラ１１８は装着スライド１３２の端部に装着される。装着スライド１３２は、第１のテープガイドローラ１００から離れてスライドされて、供給長さ９２の装飾フィルムテープおよびライナ９４がピンチローラ１１８と第１のテープガイドローラ１１０の間のニップに配置される。ライナ９４は、枢転可能な装飾フィルムテープガイド１２２近傍の供給長さ９２の装飾フィルムテープから分離される。ライナ９４は、ピンチローラ１１８周囲に、そしてライナローラ１３６周囲に巻き付けられる。
【００３４】
図１３は、枠１０６の下部１０６ｂの部分等測図である。装飾フィルムテープは、２つの対向するテープ端部ガイド１０４間で第１のテープガイドローラ１１０に巻き付く。テープ端部ガイド１０４は、適用ローラ１２０により剥離ライナ５０８に適用される直前に、供給長さ９２の装飾フィルムテープを直線に保つ補助をする。供給長さ９２の装飾フィルムテープは、第１のテープガイドローラ１１０のテープ端部ガイド１０４と位置合せされた２つの対向するテープ端部ガイド１２８を含むガイド表面１２４に沿って枢転可能なテープガイド１２２を通り越す。テープ端部ガイド１２８も、適用ローラ１２０により剥離ライナ５０８に適用される直前に、供給長さ９２の装飾フィルムテープを直線に保つ補助をする。剥離ライナ９４は、２つのテープ端部ガイド１２８間のガイド表面１２４の鋭い端部１２６で装飾フィルムテープから分離される。枢転可能なテープガイド１２２のガイド表面１２４は図１３に見られる位置まで枢転して、ガイド表面１２４が第１のカッター１１６の固定ブレード１１２の上に装飾フィルムテープを配向する。可動ブレード１１４が固定ブレード１１２から離れて枢転して、装飾フィルムテープは第１のカッター１１６のブレード１１２、１１４間を通過することができる。不連続な長さ５０１の装飾フィルムテープを、適用ローラ１２０により剥離ライナ５０８の表面に適用する。
【００３５】
図１４は、図１２に示すテープヘッド１００の第１の側１０９とは逆のテープヘッド１００の第２の側１１３を示す。ｚ軸周囲でテープヘッド１００を回転させる回転アクチュエータ３４は図示されていない。枠１０６に固定されたブラケット１０５は、ブラケット１０５でソケット１０１が受ける回転アクチュエータ３４から回転可能な駆動シャフト（図示せず）周囲に留められて、テープヘッド１００を回転アクチュエータ３４に取り付ける。テープヘッド１００には、一方向クラッチベアリング（図示せず）を通してシャフト１１１により第１のテープガイドローラ１１０を駆動する枠１０６の下部１０６ｂに装着された回転モータ１６４が含まれる。一方向クラッチベアリングによって、第１のテープガイドローラ１１０が、テープヘッド１００の動きにより不連続な長さ５０１の装飾フィルムテープの適用中自由に回転でき、また、第１のテープガイドローラ１１０が回転モータ１６４により駆動されて、適用された不連続な長さ５０１の装飾フィルムテープが第１のテープカッター１１６により供給長さ９２から切断された後、供給長さ９２の装飾フィルムテープの新たな端部を適用ローラ１２０に進める。テープヘッド１００にはまた、枠１０６と可動ブレード１１４の間に取り付けられた第１の空気シリンダ１５０が含まれ、第１のカッター１１６で可動ブレード１１４を動作させる。テープヘッド１００にはまた、枠１０６の下部１０６ｂに装着された第２のカッター１５４が含まれる。第２のカッター１５４には、ブラケット１５８の軸周囲を回転させるために装着された、周囲に延在している鋭く細長い端部１５５を有する円形ブレード１５６が含まれる。ブラケット１５８は、旋回軸１５９により枠１０６に枢転可能に装着され、不連続な長さ５０１の装飾フィルムテープがテープヘッド１００の動きにより剥離ライナ５０８に適用されるときに、第２のカッター１５４が配置された適用面から離れた（上へ）切断端部１５５の剥離位置と、第２のカッター１５４を配置して、所定の経路に沿って適用面に枠１０６を動かすことにより剥離ライナ５０８へ既に適用された不連続な長さ５０１の装飾フィルムテープの新たな端部を切断して、切断端部１５５が適用された不連続な長さ５０１の装飾フィルムテープを横切ることのできる適用面に沿った切断端部１５５の適用位置間の移動のために枠１０６とブラケット１５８の間の第２の空気シリンダ１６０により枢転される。回転アクチュエータ３４（図示せず）は、ｚ軸周囲にテープヘッド１００を回転させて、ブレード１５６を、剥離ライナ５０８の装飾フィルムテープの適用された不連続な長さ５０１に対して所望の角度で正確に位置付けて、ブレード１５６に、適用された不連続な長さ５０１の装飾フィルムテープを切断させる。この代わりに、第２のカッター１５４をテープヘッド１００から独立して回転させることができる。このように、テープヘッド１００全体を回転させる必要はない。
【００３６】
図１５〜１８に、表示長さ５０２の装飾フィルムテープを所定のパターン（図１および７に示すパターン）で剥離ライナ５０８に適用する本発明による方法の一部を示す。本方法は、不連続な長さ５０１の装飾フィルムテープを所定のパターンで剥離ライナ５０８に適用し、これらの不連続な長さ５０１の装飾フィルムテープを剥離ライナ５０８に適用した後切断して所定の形状および適用された不連続な長さ５０１の装飾フィルムテープに沿って剥離ライナ５０８の所定の位置に端部を形成して、（新たな端部のいくつかは互いに位置合せされた位置に近接配置させることができる）、不連続な長さ５０１の装飾フィルムテープから１つ以上の表示長さ５０２の装飾フィルムテープを形成する。
【００３７】
図１５に、不連続な長さ５０１の装飾フィルムテープを剥離ライナ５０８の表面に適用し始めたときのテープヘッド１００を示す。第１のテープガイドローラ１１０を一方向クラッチにより回転するために、モータ１６４の操作によって、適用表面１２１が剥離位置にあるときに、装飾フィルムテープの端部は第１のカッター１１６から、剥離ライナ５０８と適用ローラ１２０の周囲適用表面１２１間の位置まで進めた。適用ローラ空気シリンダ１３１を動作させて、適用ローラ１２０をその適用位置まで動かし、適用表面１２１を剥離ライナ５０８の装飾フィルムテープに対してバイアスをかけ、接着剤層５０９により装飾フィルムテープを剥離ライナ５０８に接合する。テープヘッド１００を静置した剥離ライナ５０８の上に動かし、テープヘッド１００を通るテープ経路に沿った動きにより装飾フィルムテープを引っ張って、適用した不連続な長さ５０１の装飾フィルムテープに沿って適用表面１２１の動きにより剥離ライナ５０８に適用する。テープロールホルダー１０２および第１および第２のテープガイドローラ１１０および１０８を自由回転させる（すなわち、第１のテープガイドローラ１１０は、モータ１６４と第１のテープガイドローラ１１０間の一方向クラッチのためにモータ１６４を回転することなく回転する）。
【００３８】
図１６に、不連続な長さ５０１の装飾フィルムテープを剥離ライナ５０８に適用した後、第１のカッター１１６が供給長さ９２の装飾フィルムテープからその不連続な長さ５０１の装飾フィルムテープを切断した直後のテープヘッド１００を示す。第１の空気シリンダ１５０が、可動ブレード１１４を動かして、固定したブレード１１２と接触して、装飾フィルムテープを交差方向に切断した。可動ブレード１１４が移動して固定ブレード１１２と接触すると、テープガイド１２２は時計とは逆に回転して、可動ブレード１１４と枢転可能なテープガイド１２２間にあって互いに動かすようにするボール継手のためにガイド表面１２４をブレード１１４および１１６から離れるように動かす。適用された不連続な長さ５０１の装飾フィルムテープを供給長さ９２の装飾フィルムテープから切断すると、供給長さ９２の装飾フィルムテープに新たな端部が形成され、適用された不連続な長さ５０１の装飾フィルムテープに第２の端部９６も形成される。剥離ライナ５０８に適用された第２の端部９６に近接した部分Ｄを有しており、図１７に示すように、部分Ｄはテープヘッド１００の更なる移動により適用される。
【００３９】
図１７にはまた、固定ブレード１１２の接触を外した移動した可動ブレード１１４と、ブレード１１４、１１２間にガイド表面１２４を配置するために時計回りに移動した枢転テープガイド１２２を有する第１の空気シリンダ１５０を示す。供給長さ９２の装飾フィルムテープの新たな切断端部を続いて、上述した通り、適用ローラ１２０の適用表面１２１に沿った位置に進めるときに、可動ブレード１１４とテープガイド１２２間の接続のために、装飾フィルムテープが第１のカッター１１６を通過できる。
【００４０】
図１８に、剥離ライナ５０８に適用されて、少なくとも１つの不連続な長さ５０２の光学フィルムテープを形成した後に、不連続な長さ５０１の光学フィルムテープを切断する第２のカッター１５４を示す。適用ローラ空気シリンダ１３１を、剥離ライナ５０８の表面から間隔をあけた剥離位置まで適用ローラ１２０の適用表面１２１に移動した。ｘ軸およびｙ軸アクチュエータ３０および３２は、ブレード１５６を適用された不連続な長さ５０１の光学フィルムテープに沿って所定の位置まで動かし、回転アクチュエータ１３４（図示せず）は、ｚ軸に平行な軸の周囲を、適用された不連続な長さ５０１の光学フィルムテープに対して所望の角度αまでテープヘッド１００を回転させて、第２のカッター１５４のブレード１５６を、剥離ライナ５０８の適用された不連続な長さ５０１の光学フィルムテープに対して所望の位置および角度で正確に配置した。ｘ軸およびｙ軸アクチュエータ３０および３２をテープヘッド１００を、ブレード１５６の配向方向において前後に動かして、ブレード１５６が、適用された不連続な長さ５０１の光学フィルムテープを通して角度αで切断するようにした。図示されたものは、適用された不連続な長さ５０１の光学フィルムテープの長さに対して傾斜している。
【００４１】
図１９〜２２に、剥離ライナ５０８に適用された不連続な長さ５０１ａおよび５０１ｂの装飾フィルムテープ、およびこれらの不連続な長さ５０１ａおよび５０１ｂの装飾フィルムテープにおいて第２のカッター１５４により作成された一連の切断部分を示すことにより、第１および第２の不連続な長さ５０１ａおよび５０１ｂの装飾フィルムテープから形成された、表示長さ５０２ａ、５０２ｂ、５０２ｃおよび５０２ｄの装飾フィルムテープ間にテープアプリケータ１０が交差点２２０を形成する操作を示す。表示長さ５０２ａ、５０２ｂ、５０２ｃおよび５０２ｄの装飾フィルムテープは、図２２に示すように互いに位置合せされ、近接配置された直線の端部表面部分２０８、２０９、２１０、２１１、２１２、２１３、２１４および２１５を有している。
【００４２】
図１９に、第２のカッター１５４により作成して、順次、直線の端部表面部分２０８、２０９、２１０および２１１を、第１の適用された不連続な長さ５０１ａの装飾フィルムテープから作成された表示長さ５０２ａおよび５０２ｂの装飾フィルムテープの新たに近接配置された端部２０４ａおよび２０５ａに形成することにより、剥離ライナ５０８および一連の切断部分１〜１２に接合した第１の不連続な長さ５０１ａの装飾フィルムテープを示す。これらの新たな端部２０４ａおよび２０５ａ間に適用された不連続な長さ５０１ａの装飾フィルムテープのスクラップ片９８が残る。直線の端部表面部分２０８、２０９、２１０および２１１を端部２０４ａおよび２０５ａに形成するために作成された一連の切断部における切断部は、図１９において参照番号１〜１２により示されている。新たな直線の端部表面部分を不連続な長さ５０１ａのテープまたは不連続な長さ５０１ｂのテープに作成する切断部（例えば、１、２、および３または４、５、および６等）は全て、同じ直線に沿って作成されているが、第１および第３の切断部の図示された経路は第２の切断部からやや分離していて（その直線に沿って）、より明らかに一連の切断部を示している。
【００４３】
テープヘッド１００を次のように操作して、図１９に示すように剥離ライナ５０８に接合した適用された不連続な長さ５０１ａの装飾フィルムテープに一連の切断部１〜１２を作成する。ブレード１５６を、剥離ライナ５０８に接合した第１の適用された不連続な長さ５０１ａの装飾フィルムテープの上に間隔をあけた剥離位置とし、第２のカッター１５４により、テープヘッド１００を移動させて、適正な角度、および端部２０４ａの第１の直線の端部表面部分２０８の中間にブレード１５６を配置する。第２の空気シリンダ１６０を動作させて、第２のカッター１５４のブレード１５６を適用された不連続な長さ５０１ａの装飾フィルムテープと接触させて適用位置まで動かす。ブレード１５６が回転し、第１の適用された不連続な長さ５０１ａの装飾フィルムテープを通して切断されると、テープヘッド１００がテープの近接端部へ移動して角度α（図示されているのは約４５°）で切断部１を作成する。テープヘッド１００を、そのテープの中心に向かって逆方向に動かして、回転ブレード１５６が切断部２を同じく角度αで作成し、再びそのテープの端部へ向かって逆方向に動かして、回転ブレード１５６が角度αで切断部３を作成する。テープヘッド１００を動かして、ブレード１５６を第２の端部２０５ａの端部表面２０９が形成される中間に配置しながら、第２のカッター１５４を空気シリンダ１６０により、適用された不連続な長さ５０１ａの装飾フィルムテープとの接触を外して剥離位置まで動かす。端部表面２０９は、端部２０４ａの端部表面２０８に平行であるが、距離「ｂ」離れている（図２０参照）。この理由については後で述べる。第２の空気シリンダ１６０を再び動作させて、第２のカッター１５４のブレード１５６を、適用された不連続な長さ５０１ａの装飾フィルムテープと接触させて適用位置まで動かし、テープヘッド１００をテープ端部へ向かって移動させて、回転ブレード１５６が角度αで切断部４を作成し、そのテープの中心に向かって逆方向に動かして、回転ブレード１５６が同じく角度αで切断部５を作成し、そのテープの端部へ向かって逆方向に再び動いて、回転ブレード１５６が角度αで切断部６を作成する。ブレード１５６は、剥離ライナ５０８に接合した適用された不連続な長さ５０１ａの装飾フィルムテープとの接触を外し、第２のカッター１５４を再び空気シリンダ１６０により剥離位置まで動かす。テープヘッド１００を角度δ（図示されているのは約９０°）で回転し、第２の端部２０５ａの第２の端部表面部分２１０と、第１の端部２０４ａの第２の端部表面部分２１１の切断を始める。これは、一連の切断部７〜１２について行われ、上述した一連の切断部１〜６と実質的に同じやり方で実施される。
【００４４】
この代わりに、３つの個々の切断部１〜３、４〜６、７〜９または１０〜１２の単一ブレードで、単一切断部を作成することもできる。
【００４５】
図２０に、新たな端部２０４ａおよび２０５ａの端部表面部分２０８、２０９、２１０および２１１が上述した通り第２のカッター１５４により切断されるときに、剥離ライナ５０８から、そして剥離ライナ５０８に接合した不連続な長さ５０１ａの装飾フィルムテープより作成された２つの表示長さ５０２ａおよび５０２ｂの装飾フィルムテープ間から取り外された蝶形と類似形状を有するスクラップ部分９８を示す。これらの端部表面２０８、２０９、２１０および２１１を配置して、図２１および２２を参照して後述してある通り、第２のカッター１５４により切断される端部２０４ｂおよび２０５ｂを受けるＶ形ノッチを形成し、スクラップ部分９８を取り外して、図２２に示す４つの表示長さ５０２ａ、５０２ｂ、５０２ｃおよび５０２ｄの装飾フィルムテープの端部２０４ａ、２０５ａ、２０４ｂおよび２０５ｂ間の視覚的に好ましい交差部２２０を与えた後、第１の適用された不連続な長さ５０１ａの装飾フィルムテープに交差する剥離ライナ５０８に接合した第２の適用された不連続な長さ５０１ｂの装飾フィルムテープから表示長さ５０２ｃおよび５０２ｄの装飾フィルムテープを形成する。
【００４６】
図２１に、剥離ライナ５０８に、そして表示長さ５０２ａおよび５０２ｂの各装飾フィルムテープに沿って等しい距離延在している、第１の適用された不連続な長さ５０１ａの装飾フィルムテープおよび第２の不連続な長さ５０１ｂの装飾フィルムテープから形成された表示長さ５０２ａおよび５０２ｂの装飾フィルムテープの長手端部に関して、第２の不連続な長さ５０１ｂの装飾フィルムテープの長手方向端部が９０°の角度で第１の適用された不連続な長さ５０１ａの装飾フィルムテープから形成された表示長さ５０２ａおよび５０２ｂの装飾フィルムテープの端部２０４ａおよび２０５ａを覆うようにテープアプリケータ１０により適用および接合された第２の不連続な長さ５０１ｂの装飾フィルムテープを示す。図２１にはまた、剥離ライナ５０８および端部２０４ａおよび２０５ａに適用されて、表示長さ５０２ｃおよび５０２ｄの装飾フィルムテープの新たな端部２０４ｂおよび２０５ｂの直線の端部表面部分２１２、２１３、２１４および２１５を順次形成することにより、第２の適用された不連続な長さ５０１ｂの装飾フィルムテープから形成された後の第２の適用された不連続な長さ５０１ｂの装飾フィルムテープに作成可能な一連の切断部１〜１２も示す。その一連の切断部１〜１２は、第１の適用された不連続な長さ５０１ａの装飾フィルムテープからできた表示長さ２０６ａおよび２０７ａの装飾フィルムテープの端部２０４ａおよび２０５ａに端部表面部分２０８、２０９、２１０および２１１を形成するために上述した一連の切断部１〜１２と実質的に同じであり、これらの新たな端部２０４ａおよび２０５ｂ間に適用された不連続な長さ５０１ｂの装飾フィルムテープのスクラップ片９９も残す。
【００４７】
図２２に、表示長さの５０２ａおよび５０２ｂの装飾フィルムテープの端部２０４ａおよび２０５ａの上部から、そして、第２の適用された不連続な長さ５０１ｂの装飾フィルムテープから形成された２つの表示長さ５０２ｃおよび５０２ｄの端部２０４ｂおよび２０５ｂ間から使用者により取り外された後の第２の廃棄部分９９（廃棄部分９８と同じ形状を有している）を示す。角度のついた端部２０４ａおよび２０５ａから第２のスクラップ部分９９を取り外すと、表示長さ５０２ａおよび５０２ｂの装飾フィルムテープの端部２０４ａおよび２０５ａと、表示長さ５０２ｃおよび５０２ｄの装飾フィルムテープの２つの端部２０４ｂおよび２０５ｂ間に形成された交差部２２０が完成する。端部２０４ｂおよび２０５ｂは、表示長さ５０２ａおよび５０２ｂの装飾フィルムテープの端部２０４ａおよび２０５ａと同じ形状を有している。第１の端部２０４ｂの直線の端部表面部分２１２および２１４および第２の端部２０５ｂの直線の端部表面部分２１３および２１５は、第２の適用された不連続な長さ５０１ｂの装飾フィルムテープの長さに対して角度α’でそれぞれ配置される。
【００４８】
表示長さ５０２ａ、５０２ｂ、５０２ｃおよび５０２ｄの熱膨張のための空間を与える、端部２０４ａ、２０４ｂ、２０５ａおよび２０５ｂの対向する平行な直線端部表面部分２０８〜２１２、２１０〜２１４、２０９〜２１３、２１１〜２１５間は等距離「ｂ」である。かかる空間がないと、熱膨張によって、端部が接触し、表示長さ５０２ａ、５０２ｂ、５０２ｃおよび５０２ｄの装飾フィルムテープに座屈が生じる。距離「ｂ」は、０．００５インチ〜０．１２インチすなわち０．０１３ｃｍ〜０．３ｃｍとすることができ、好ましくは約０．０１インチすなわち０．２５ｃｍである。
【００４９】
交差部２２０を形成するために第２のカッター１５４により作成された一連の切断部１〜６は、不連続な長さ５０１ａおよび５０１ｂの装飾フィルムテープを通して切断され、好ましくは剥離ライナ５０８は通らないのが好ましいが、剥離ライナ５０８に切断部が生じる可能性があり、また生じることもある。剥離ライナ５０８は、これらの切断部により形成された表示長さ５０２ａ、５０２ｂ、５０２ｃおよび５０２ｄの装飾フィルムテープに対向する剥離ライナ５０８の表面に剥離ライナ５０８中の各切断部にコートされたある一定長さの感圧接着剤を接合することによって、かかる切断部で強化させることができる。
【００５０】
表示長さ５０２ａ、５０２ｂ、５０２ｃおよび５０２ｄにある端部２０４ａ、２０４ｂ、２０５ａおよび２０５ｂの対向する端部表面部分２０８〜２１２、２１０〜２１４、２０９〜２１３、２１１〜２１５を切断して、適合させて、交差部２２０に所望の外観を与える。図示されているそれぞれ４５°の角度αおよびα’（各端部の端部表面部分が互いに９０°で配置されている）は交差部の所望の外観のために変更してもよい。例えば、角度αが３０°で、角度α’が６０°であったり、角度αおよびα’の他の組み合わせを用いてもよい。
【００５１】
テープアプリケータ１０を用いて、複数の不連続な長さ５０１の装飾フィルムテープを剥離ライナ５０８に適用して、これらの不連続な長さ５０１間に図１９〜２２に示すやり方で複数の交差部２２０を形成して、図１および６に示すラミネート用の装飾パターンを含む多くの装飾パターンを形成することができる。
【００５２】
一例を挙げると、図１に示す表示長さ５０２の装飾フィルムテープのパターンを形成するために、テープアプリケータ１０はまず、剥離ライナ５０８シートの長さに沿って、２つの平行な不連続な長さ５０１ａの装飾フィルムテープに連続して適用する。テープアプリケータ１０は、これらの不連続な長さ５０１ａの装飾フィルムテープを切断して、表示長さ５０１の装飾フィルムテープに、図１９および２０を参照して上述した工程により作成される交差部２２０の位置に不連続な長さ５０１ａの装飾フィルムテープに沿って、第１および第２の端部２０４ａおよび２０５ａを形成する。２つの適用された不連続な長さ５０１ａの装飾フィルムテープの端部は、第１のカッター１１６により切断されて、テープの長さに対して９０°の角度である。あるいは、これらの対向端はまた、所望であれば、第２のカッター１５４により第１の適用された不連続な長さ５０１ａの装飾フィルムテープの長さに対して斜めに切断することもできる。テープアプリケータ１０は、図１に示すように、ヘッド１００を支持表面２２に沿って「定位置」に戻して、使用者が第１の不連続な長さ５０１ａの装飾フィルムテープのスクラップ部分９８を、長さに沿って形成された各交差部２２０で取り外すことができる。次に、テープアプリケータ１０がテープヘッド１００を動かして、５つの平行な不連続な長さ５０１ｂの装飾フィルムテープを、第１の２つの不連続な長さ５０１ａの装飾フィルムテープから形成された表示長さ５０２の装飾フィルムテープに交差させて、端部に対して９０°の角度で、交差部２２０で端部２０４ａおよび２０５ａを超えて延在するようにして、連続的に適用する。テープアプリケータ１０は、これらの不連続な長さ５０１ｂの装飾フィルムテープを連続して切断して、表示長さ５０１の装飾フィルムテープに、上述した工程を用いて交差部２２０で第２の不連続な長さ５０１ｂの装飾フィルムテープから、第１および第２の端部２０４ｂおよび２０５ｂを形成する。最後に、テープヘッド１００が「定位置」に戻って、操作者が各交差部２２０に形成されたスクラップ部分９９を取り外すことができる。
【００５３】
さらに例を挙げると、図６に示す表示長さ５０２の装飾フィルムテープのパターンを形成するために、テープアプリケータ１０はまず、剥離ライナ５０８シートの長さに沿って、８つの平行な不連続な長さ５０１ａの装飾フィルムテープに連続して適用する。テープアプリケータ１０は、これらの不連続な長さ５０１ａの装飾フィルムテープを切断して、表示長さの装飾フィルムテープに、図１９および２０を参照して上述した工程により作成される交差部２２０の位置に不連続な長さ５０１ａの装飾フィルムテープに沿って、第１および第２の端部２０４ａおよび２０５ａを形成する。各適用された不連続な長さ５０１ａの装飾フィルムテープの対向端部は、第２のカッター１５４により適用された不連続な長さ５０１ａの装飾フィルムテープの長さに対して斜めに切断される。テープアプリケータ１０は、図１に示すように、ヘッド１００を支持表面２２に沿って「定位置」に戻して、使用者が第１の不連続な長さ５０１ａの装飾フィルムテープのスクラップ部分９８を、長さに沿って、不連続な長さ５０１ａの対向端で形成された各交差部２２０で取り外すことができる。次に、テープアプリケータ１０がテープヘッド１００を動かして、８つの平行な不連続な長さ５０１ｂの装飾フィルムテープを、第１の２つの不連続な長さ５０１ａの装飾フィルムテープから形成された表示長さ５０２の装飾フィルムテープに交差させて、端部に対して９０°の角度で、交差部２２０で端部２０４ａおよび２０５ａを超えて延在するようにして、連続的に適用する。不連続な長さ５０１ｂは、不連続な長さ５０１ａの対向端部を超えて延在できるよう十分に長い。テープアプリケータ１０は、第２のカッター１５４を用いて、これらの不連続な長さ５０１ｂの装飾フィルムテープを連続的に切断して、上述した工程を用いて、交差部２２０で第２の不連続な長さ５０１ｂの装飾フィルムテープから表示長さ５０１の装飾フィルムテープに第１および第２の端部２０４ｂおよび２０５ｂを形成し、適用された不連続な長さ５０１ａの装飾フィルムテープの長さに対して斜めに各適用された不連続な長さ５０１ａの装飾フィルムテープの対向端部を切断し、第１の不連続な長さ５０１ａの装飾フィルムテープから形成された表示長さの端部から近接配置された表示長さ５０１に端部を形成する。最後に、テープヘッド１００が「定位置」に戻って、操作者が各交差部２２０および適用された不連続な長さ５０１ａの装飾フィルムテープの各端部に形成されたスクラップ部分９９を取り外すことができる。
【００５４】
図１および６は、本発明によるラミネートを作成するための本発明による方法においてテープアプリケータ１０により剥離ライナシートに接合可能な表示長さの装飾フィルムテープのパターンを示しているのみである。テープアプリケータ１０は、多用途のために剥離ライナシートに直線の表示長さの装飾フィルムテープのパターンであれば何れも作成することができ、テープヘッド１００は、支持表面２２上を動かして、不連続な長さの装飾フィルムテープを、支持表面２２の剥離ライナに沿って何れかの角度で適用し、剥離ライナに適用した後、（必要であれば）適用された不連続な長さの装飾フィルムテープを何れかの角度で切断して、これらの適用された不連続な長さから表示長さを形成することができる。
【００５５】
テープアプリケータ１０には、コンピュータプロセッサと適正な信号をアクチュエータ３０、３２、３４に送って、支持表面２２に対してテープヘッド１００を移動し、適宜テープヘッド１００を操作して、剥離ライナシートに表示長さの装飾フィルムテープの所望のパターンを形成するためのコントローラが含まれている。例えば、操作者が図１または図６に示す剥離ライナシートに表示長さの装飾フィルムテープのパターンを作成したい場合がある。操作者は、作成するパターンの形状を表示する一組のコマンドをコンピュータプロセッサに入力する。コンピュータプロセッサおよびコントローラは、アクチュエータ３０、３２、３４を方向付ける方向を決めて、テープヘッド１００を移動して、不連続な長さの装飾フィルムテープを剥離ライナに適用し、剥離ライナに適用した後、適用された不連続な長さの装飾フィルムテープを切断して表示長さの装飾フィルムテープを形成する。コンピュータプロセッサおよびコントローラは、「開ループ」システムを含むことができ、既知の一連の動きに基づいて、テープヘッド１００がテーブルトップ２１に配置される場所を計算する。例えば、ｘ軸アクチュエータ３０かｙ軸アクチュエータ３２のいずれかにあるボールねじがテープヘッド１００を、ボールねじの１回転当たり既知の距離動かす。コンピュータプロセッサが、テープヘッド１００の初期の位置、例えば、「定位置」が分かっている場合、実際に回転したアクチュエータのボールねじの回転数に基づいて、テープヘッド１００の最終位置がどこにあるか決めることができる。コンピュータプロセッサは信号をｘ軸およびｙ軸アクチュエータ３０、３２に送り、ボールねじを特定の回転数回して、テープヘッド１００を特定の軸で特定の距離移動する。コンピュータプロセッサはまた、回転アクチュエータ３６にも信号を送る。支持表面２２のｚ軸に平行な軸周囲をテープヘッド１００が回転した場所および時を示す。好適なコントローラは、ミネソタ州セントポールのブラース社（Ｂｒａａｓ  Ｃｏｍｐａｎｙ、Ｓｔ．Ｐａｕｌ，ＭＮ）より部品番号６Ｋ４、コンピュモータ（Ｃｏｍｐｕｍｏｔｏｒ）という商品名で市販されているコントローラである。この代わりに、コンピュータプロセッサは「閉ループ」システムを含むことができ、テープヘッド１００が常にテーブルトップ２１の支持表面２２にある場所を計算する。
【００５６】
アクチュエータ３０、３２、３４には、テーブルトップ２１のテープヘッド１００の初期位置を決めるセンサが含まれている。アクチュエータ３０、３２、３４に好適なセンサは、ミネソタ州セントポールのブラース社（Ｂｒａａｓ  Ｃｏｍｐａｎｙ、Ｓｔ．Ｐａｕｌ，ＭＮ）より部品番号Ｅ２Ｅ−Ｘ１Ｒ５Ｅ１−Ｍ１−Ｎ、オムロン（Ｏｍｒｏｎ）という商品名で市販されているプロックス（Ｐｒｏｘ）センサである。
【００５７】
本発明による方法および構造を、いくつかの実施形態およびその変形例を参照して記載してきた。上述の詳細な説明および実施例は理解のためとしてのみ示されている。不必要に限定はされないものとする。
【００５８】
本発明の範囲から逸脱することなく上述の方法および実施形態において様々な変更を行えることは当業者には明白であろう。例えば、テープアプリケータ１０を修正して変形方法で用いることができ、適用面でカバー層５１１とは逆の取り外し可能な接着剤層５１２の表面によりプレマスク材料５１０層を支持し、テープアプリケータ１０を用いて、供給長さ９２の装飾フィルムテープから異なる所定の長さおよび端部形状の表示長さ５０２の装飾フィルムテープを形成し、所定の端部位置に沿って延在している表示長さ５０２のテープの長手方向端部について上述したやり方で、適用された表示長さ５０２の装飾フィルムテープの少なくともいくつかについて位置合せされ近接配置された端部を含む所定のパターンで取り外し可能な接着剤層５１２の表面にこれらの表示長さ５０２の装飾フィルムテープを適用することにより、上述したプレマスク材料５１０、供給長さ９２の装飾フィルムテープおよび剥離ライナ５０８の同じ層から上述した実質的に同じラミネート５００を形成し、表示長さ５０２の装飾フィルムテープと表示長さ５０２の装飾フィルムテープ周囲に露出しているプレマスク材料５１０層に含まれる取り外し可能な接着剤層５１２の一部分とに含まれる攻撃的な接着剤層５０９に対して剥離ライナ５０８を押し付けるものである。本方法に用いることのできるテープアプリケータ１０の修正には、第１のカッター１１６の固定ブレード１１２と可動ブレード１１４の位置を変え、摩擦クラッチ１３８およびモータ１３７を含む巻き取りローラ１３６を配置することが含まれ、テープ経路の逆側にある減速装置１３９により駆動され、同時に供給長さ９２の装飾フィルムテープの感圧接着剤５０９層に接合しない適用表面１２１がローラ１２０に提供される。
【００５９】
このように、本発明の範囲は、本明細書に記載した方法の詳細そのものおよび構造に限定されるものではなく、請求項の文言により記載された方法および構造そしてその方法および構造の等価物によってのみ限定されるものである。
【図面の簡単な説明】
【００６０】
【図１】本発明による方法により作成されたラミネートの第１の実施形態を示し、ラミネートは、窓ガラスのような基材を装飾するのに用いるのに適合しており、所定の装飾パターンで剥離ライナに接合された複数の表示長さの装飾フィルムテープと、表示長さの装飾フィルムを覆うように、そして表示長さの装飾フィルムテープによりカバーされていない領域において剥離ライナに接合されたプレマスク材料層（断片のみが示されている）と、を含んでいる。
【図２】図１の線２−２にほぼ沿った拡大断面図である。
【図３】剥離ライナを取り外し、表示長さの装飾フィルムテープおよび表示長さの装飾フィルムを覆うように接合したプレマスク材料層を基材に接合した後の図１のラミネートの断片平面図である。
【図４】図３の線４−４にほぼ沿った拡大断片断面図である。
【図５】基材に適用され、プレマスク材料の上層を取り外した後の図１のラミネートにおける表示長さの装飾フィルムテープの断片平面図である。
【図６】図５の線６−６にほぼ沿った拡大断片断面図である。
【図７】本発明による方法により作成されたラミネートの第２の実施形態を示し、ラミネートはここでも、窓ガラスのような基材を装飾するのに用いるのに適合しており、所定の装飾パターンで剥離ライナに接合された複数の表示長さの装飾フィルムテープと、表示長さの装飾フィルムを覆うように、そして表示長さの装飾フィルムテープによりカバーされていない領域において剥離ライナに接合されたプレマスク材料層（断片のみが示されている）と、を含んでいる。
【図８】本発明による方法に用いることのできるテープアプリケータの等測図であり、アプリケータに含まれるテープヘッドが第１の位置にある。
【図９】テープヘッドが第２の位置にあり、装飾フィルムテープが本発明による方法において剥離ライナシートへ適用された図８のテープアプリケータの等測図である。
【図１０】図８の線１０−１０にほぼ沿った拡大等測断面図であり、図８のテープアプリケータに含まれるｘ軸アクチュエータ、ｙ軸アクチュエータ、回転アクチュエータ、テープヘッドおよび回転アクチュエータのための支持アームが示されている。
【図１１】平面支持表面に対して垂直なｚ軸周囲で回転したテープヘッドと、ｚ軸周囲にテープヘッドを回転させる回転アクチュエータと、支持アームと、を示す図８のテープアプリケータの拡大断片等側図である。
【図１２】図８のテープヘッドの第１の側の拡大断片等側図である。
【図１３】図８のテープヘッドの第１の側の拡大断片等側図である。
【図１４】図８のテープヘッドの第１の側に対向する第２の側の拡大断片等側図である。
【図１５】テープヘッドが始動して、装飾フィルムテープが剥離ライナシートへ適用される、図８のテープヘッドの第１の側の拡大断片図である。
【図１６】第１のカッターが、テープヘッドで搬送される供給長さの装飾フィルムテープから剥離ライナシートへ適用された不連続な長さの装飾フィルムテープを切断する、図８のテープヘッドの第１の側の拡大断片図である。
【図１７】切断された不連続な長さの装飾フィルムテープの剥離ライナシートへの適用が終了した、図８のテープヘッドの第１の側の拡大断片図である。
【図１８】剥離ライナシートへ前に適用された不連続な長さの装飾テープを切断する、テープヘッドの第２のカッターを示す図８のテープヘッドの第２の側の拡大断片図である。
【図１９】剥離ライナシート表面に適用された装飾フィルムテープの第１の不連続な長さの平面図であり、テープヘッドの第２のカッターにより第１の不連続な長さのテープで作成できる一連の切断部分を示す。
【図２０】図１９に示す剥離ライナに適用された第１の不連続な長さの装飾フィルムテープの平面図であり、剥離ライナから取り外された図１９に示す切断部分により形成された第１の不連続な長さの装飾フィルムのスクラップ部分を備えている。
【図２１】第１の不連続な長さの装飾フィルムテープのスクラップ部分を図２０に示すように取り外した後、第１の不連続な長さの装飾フィルムテープの上部を覆うように図１９および２０に示した剥離ライナに適用された第２の不連続な長さのテープの平面図であり、図２１は、テープヘッドの第２のカッターにより第２の不連続な長さのテープに作成できる一連の切断部分を示している。
【図２２】図２１に示す剥離ライナに適用された第２の不連続な長さの装飾フィルムテープの平面図であり、剥離ライナから取り外された図２１に示す切断部分により形成された第２の不連続な長さの装飾フィルムテープのスクラップ部分を備えており、第１および第２の表示長さの装飾フィルムテープの近接部分に位置合わせ近接配置された端部が与えられている。
【図１】
2005511359.tif 000003
【図２】
2005511359.tif 000004
【図３】
2005511359.tif 000005
【図４】
2005511359.tif 000006
【図５】
2005511359.tif 000007
【図６】
2005511359.tif 000008
【図７】
2005511359.tif 000009
【図８】
2005511359.tif 000010
【図９】
2005511359.tif 000011
【図１０】
2005511359.tif 000012
【図１１】
2005511359.tif 000013
【図１２】
2005511359.tif 000014
【図１３】
2005511359.tif 000015
【図１４】
2005511359.tif 000016
【図１５】
2005511359.tif 000017
【図１６】
2005511359.tif 000018
【図１７】
2005511359.tif 000019
【図１８】
2005511359.tif 000020
【図１９】
2005511359.tif 000021
【図２０】
2005511359.tif 000022
【図２１】
2005511359.tif 000023
【図２２】
2005511359.tif 000024
【国際調査報告】
2005511359.tif 000025
2005511359.tif 000026
2005511359.tif 000027